(57)【要約】【課題】ホログラム媒体から再生した再生光のずれにかかわらず、良好な受光状態を確保し、適正な信号再生を行なう。【解決手段】ホログラム記録部２０の信号光はホログラム媒体６１の形態（板厚、角度、屈折率等）にかかわらず、光学系の光軸に一致した状態で供給されるが、ホログラム再生部３０で再生時の再生光はホログラム媒体６１の形態（板厚、角度、屈折率等）により、光学系の光軸からずれた状態で取り出されることになり、そのずれの程度によっては後段の受光素子３２における適正な検出が妨げられる場合がある。そこで、光軸ずれ補正部５０を設けて光軸のずれ量に応じて受光系（受光光学系３１及び受光素子３２）を移動することにより、適正な検出状態を維持する。【選択図】        図１
2005010599.tif 000002
【特許請求の範囲】
【請求項１】
信号光と参照光との干渉縞による疎密パターンが形成されたホログラム媒体に前記参照光に対応する照明光を照射する照明光照射手段と、
前記照明光の照射によってホログラム媒体から再生される再生光を受光する受光素子と、
前記ホログラム媒体からの再生光を前記受光素子に導く受光光学系と、
前記受光素子によって受光した信号からデータを再生する再生手段とを有し、
前記受光光学系及び受光素子の光軸が前記ホログラム媒体への疎密パターン形成時の信号光に対する再生光の光軸のずれ量に応じてオフセットされている、
ことを特徴とするホログラム再生装置。
【請求項２】
前記ホログラム媒体がフォトポリマ材よりなることを特徴とする請求項１記載のホログラム再生装置。
【請求項３】
前記ホログラム媒体が一対のガラス板の間にフォトポリマ材を配置した積層構造を有することを特徴とする請求項１記載のホログラム再生装置。
【請求項４】
前記ホログラム媒体を保持して回転する回転機構を有することを特徴とする請求項１記載のホログラム再生装置。
【請求項５】
信号光と参照光との干渉縞による疎密パターンが形成されたホログラム媒体に前記参照光に対応する照明光を照射する照明光照射手段と、
前記照明光の照射によってホログラム媒体から再生される再生光を受光する受光素子と、
前記ホログラム媒体からの再生光を前記受光素子に導く受光光学系と、
前記受光素子によって受光した信号からデータを再生する再生手段と、
前記ホログラム媒体から再生される再生光に生じる光軸のずれ量に応じて前記受光光学系及び受光素子の光軸を調整する光軸調整手段と、
を有することを特徴とするホログラム再生装置。
【請求項６】
前記ホログラム媒体から再生される再生光に生じる光軸のずれ量を判定するずれ量判定手段を有し、前記光軸調整手段は前記ずれ量判定手段による判定結果に応じて前記受光光学系及び受光素子の光軸を自動調整することを特徴とする請求項５記載のホログラム再生装置。
【請求項７】
前記ずれ量判定手段は、前記ホログラム媒体に付加された識別手段を読み取る読み取り手段を有し、前記読み取り手段による読み取り情報に基づいて前記信号光に生じる光軸のずれ量を判定することを特徴とする請求項６記載のホログラム再生装置。
【請求項８】
前記ずれ量判定手段は、前記ホログラム媒体に関する情報を入力する入力手段を有し、前記入力手段からの入力情報に基づいて前記信号光に生じる光軸のずれ量を判定することを特徴とする請求項６記載のホログラム再生装置。
【請求項９】
前記ずれ量判定手段は、前記ホログラム媒体から再生される信号光に生じる光軸のずれ量を検出する検出手段を含むことを特徴とする請求項６記載のホログラム再生装置。
【請求項１０】
前記ホログラム媒体がフォトポリマ材よりなることを特徴とする請求項５記載のホログラム再生装置。
【請求項１１】
前記ホログラム媒体が一対のガラス板の間にフォトポリマ材を配置した積層構造を有することを特徴とする請求項５記載のホログラム再生装置。
【請求項１２】
前記ホログラム媒体を保持して回転する回転機構を有することを特徴とする請求項５記載のホログラム再生装置。
【請求項１３】
前記光軸調整手段はずれ量判定手段によって判定された光軸のずれ量に基づいて前記受光光学系及び受光素子の光軸を光軸と直交する方向に移動するアクチュエータを有することを特徴とする請求項６記載のホログラム再生装置。
【請求項１４】
信号光と参照光との干渉縞による疎密パターンが形成されたホログラム媒体に前記参照光に対応する照明光を照射する参照光照射手段と、
前記照明光の照射によってホログラム媒体から再生される再生光を受光する受光素子と、
前記ホログラム媒体からの再生光を前記受光素子に導く受光光学系と、
前記受光素子によって受光した信号からデータを再生する再生手段とを有するホログラム再生装置のホログラム再生方法であって、
前記ホログラム媒体から再生される信号光に生じる光軸のずれ量に応じて前記受光光学系及び受光素子の光軸を調整する、
ことを特徴とするホログラム再生方法。
【発明の詳細な説明】
【０００１】
【発明の属する技術分野】
本発明は、ホログラム媒体を用いて記録データを含む信号光と参照光の干渉縞による疎密パターンを記録し、この疎密パターンへの照明光の照射によって再生光を再生し、その再生光に含まれるデータの再生を行なうホログラム記録再生システムに関し、特に良好な再生状態を得ることが可能なホログラム再生装置及びホログラム再生方法に関する。
【０００２】
【従来の技術】
近年、ホログラム技術を利用して大容量データの記録再生を行なうホログラム記録再生システムが提案されている（例えば、非特許文献１参照）。
このホログラム記録再生システムは、例えば液晶素子等の空間変調手段によって生成される記録データを含む信号光とこの信号光に対応して設定される参照光とを所定の角度でホログラム媒体に照射することにより、信号光と参照光による干渉縞によってホログラム媒体に微細な疎密パターンを記録する記録系と、このホログラム媒体に参照光に対応する照明光を照射することによって疎密パターンに対応する再生光を生成し、これをＣＣＤイメージセンサ等の受光素子によって受光してその解析を行ない、データを再生する再生系とを有する構成となっている。
【０００３】
【非特許文献１】
ＩＢＭ  Ｊ．ＲＥＳ  ＤＥＶＥＬＯＰ  ＶＯＬ  ４４  ＮＯ．３  ＭＡＹ  ２０００  「Ｈｏｌｏｇｒａｐｈｉｃ  ｄａｔａ  ｓｔｏｒａｇｅ」
【０００４】
【発明が解決しようとする課題】
ところで、上述のようなホログラム記録再生システムにおいて、記録系と再生系とで光軸を一致させることが必要であり、装置の組み立て時に各要素を位置決めして光軸を一致させるようにしているが、組み立て後に挿入されるホログラム媒体に板厚や配置角度、さらには屈折率等のバラツキがある場合、そのホログラム媒体において光軸の屈曲量が変化する。
このため特に再生系の光軸にずれが生じ、再生した再生光と受光系の光軸にずれが生じ、収差の問題や受光領域ずれの問題が発生し、適正な再生状態が得られなくなるという課題がある。
【０００５】
そこで本発明の目的は、ホログラム媒体から再生した再生光のずれにかかわらず、良好な受光状態を確保でき、適正な信号再生を行なうことが可能なホログラム再生装置及びホログラム再生方法を提供することにある。
【０００６】
【課題を解決するための手段】
本発明は前記目的を達成するため、信号光と参照光との干渉縞による疎密パターンが形成されたホログラム媒体に前記参照光に対応する照明光を照射する照明光照射手段と、前記照明光の照射によってホログラム媒体から再生される再生光を受光する受光素子と、前記ホログラム媒体からの再生光を前記受光素子に導く受光光学系と、前記受光素子によって受光した信号からデータを再生する再生手段とを有し、前記受光光学系及び受光素子の光軸が前記ホログラム媒体への疎密パターン形成時の信号光に対する再生光の光軸のずれ量に応じてオフセットされていることを特徴とする。
【０００７】
また本発明は、信号光と参照光との干渉縞による疎密パターンが形成されたホログラム媒体に前記参照光に対応する照明光を照射する照明光照射手段と、前記照明光の照射によってホログラム媒体から再生される再生光を受光する受光素子と、前記ホログラム媒体からの再生光を前記受光素子に導く受光光学系と、前記受光素子によって受光した信号からデータを再生する再生手段と、前記ホログラム媒体から再生される再生光に生じる光軸のずれ量に応じて前記受光光学系及び受光素子の光軸を調整する光軸調整手段とを有する。
【０００８】
また本発明は、信号光と参照光との干渉縞による疎密パターンが形成されたホログラム媒体に前記参照光に対応する照明光を照射する参照光照射手段と、前記照明光の照射によってホログラム媒体から再生される再生光を受光する受光素子と、前記ホログラム媒体からの再生光を前記受光素子に導く受光光学系と、前記受光素子によって受光した信号からデータを再生する再生手段とを有するホログラム再生装置のホログラム再生方法であって、前記ホログラム媒体から再生される信号光に生じる光軸のずれ量に応じて前記受光光学系及び受光素子の光軸を調整することを特徴とする。
【０００９】
本発明のホログラム再生装置及びホログラム再生方法では、ホログラム媒体から再生される再生光に生じる光軸のずれ量に応じて受光光学系及び受光素子の光軸がオフセットされているので、ホログラム媒体によって生じる再生光のずれに対応して受光系の光軸を一致させることが可能となり、良好な受光状態を確保でき、適正な信号再生を行なうことができる。なお、受光光学系及び受光素子の光軸のオフセットは、予めホログラム再生装置の製造段階で設けるようにしてもよいし、あるいは光軸を調整する手段をホログラム再生装置内に搭載することにより、実使用時に何らかの手段で再生光のずれ量を判定し、受光光学系及び受光素子の光軸を自動調整するようにしてもよい。
【００１０】
【発明の実施の形態】
以下、本発明によるホログラム再生装置及びホログラム再生方法の実施の形態例について説明する。
図１は本発明の実施の形態例におけるホログラム記録再生システムの全体構成を示すブロック図であり、図２は図１に示すホログラム記録再生システムにおけるホログラム記録再生部の光学系の構成を示すブロック図である。
以下に説明する本例のホログラム記録再生システムは、４つの焦点距離ｆを有するいわゆる４ｆ系の光学系を用い、（ただし、この場合４ｆ系は等倍結像に限らない。）また、ホログラム媒体にフォトポリマ材を用いたディスク媒体を用いて透過方式による多重記録を行なう構成ものである。なお、多重記録方式としては、角度多重、シフト多重、位相多重等の各方式が知られているが、いずれの方式であってもよく、さらに反射方式のものにも適用できるものである。
【００１１】
まず、図１に基づいて本例によるホログラム記録再生システムの概要について説明する。
図示のように、本例のホログラム記録再生システムは、記録データ生成部１０、ホログラム記録部２０、ホログラム再生部３０、データ再生部４０、光軸ずれ補正部５０、ホログラム媒体駆動部６０、駆動制御部７０、及び光源部８０等を有して構成されている。
記録データ生成部１０は、ホログラム媒体６１に記録するデータに対応する変調データを生成し、ホログラム記録部２０に供給するものであり、ホログラム記録部２０は変調データに対応する信号光をホログラム媒体６１に供給し、参照光との干渉縞による疎密パターンを記録するものである。
【００１２】
ホログラム再生部３０は、ホログラム媒体６１に参照光に対応する照明光を照射することにより得られる再生光を受光し、その受光信号をデータ再生部４０に供給するものであり、データ再生部４０はホログラム再生部３０から入力した受光信号を信号処理し、そこに含まれるデータを再生する。
光軸ずれ補正部５０は、ホログラム媒体６１の板厚等によって受光系に生じた再生信号光と光軸のずれを補正するものであり、ずれ量に応じてホログラム再生部３０の受光光学系と受光素子とを光軸の直交方向に移動する。この移動によって光軸がずれた状態をオフセットというものとする。なお、具体的な移動手段としては、例えば、光ディスク装置の光ピックアップで用いられる２軸アクチュエータと同様に、磁性体とコイルとの組み合わせによって可動体を微小変位させる電磁的アクチュエータを用いることが可能である。
【００１３】
光源部８０は、レーザ光源８１、ビームスプリッタ８２、ミラー８３を含み、レーザ光源８１より出射したレーザ光をビームスプリッタ８２で分岐し、ホログラム媒体６１とホログラム記録部２０に供給する。ホログラム媒体６１側に供給したレーザ光は光学系８４を通して参照光としてホログラム媒体６１に供給される。一方、ホログラム記録部２０側に供給されたレーザ光は後述する空間変調素子（透過型液晶パネル）を通して信号光に変換され、記録光学系を通してホログラム媒体６１に供給される。
ホログラム媒体駆動部６０は、ディスク型のホログラム媒体６１を保持するディスクチャック部やこのホログラム媒体６１を回転駆動するスピンドルモータとを有するものである。
駆動制御部７０は、上述したホログラム記録部２０、ホログラム再生部３０、データ再生部４０、光軸ずれ補正部５０、ホログラム媒体駆動部６０等の駆動サーボ系を制御するものである。
【００１４】
次に、図２を用いて本例におけるホログラム記録部２０とホログラム再生部３０について説明する。
まず、ホログラム記録部２０は、空間変調素子としての透過型液晶パネル２１と、この透過型液晶パネル２１による変調光をホログラム媒体６１に供給する記録光学系（レンズ）２２とを有する。透過型液晶パネル２１には、データパターンが表示され、背面側から入射するレーザ光が透過して信号光８５Ａに変換され、ホログラム媒体６１に供給される。ホログラム媒体６１には参照光８６が供給され、信号光８５Ａと参照光８６の干渉縞によって疎密パターンが形成される。液晶パネル２１のデータパターンの切り替えや参照光の制御を行なうことにより、各種方式による多重化記録を行なうことができる。
また、ホログラム再生部３０は、ホログラム媒体６１に記録時の参照光と共通の照明光８６を照射することによって再生光８５Ｂを再生するものであり、この再生光８５Ｂを検出するためのＣＣＤ２次元イメージセンサ等による受光素子３２と、ホログラム媒体６１から再生された再生光を受光素子３２に導く受光光学系（レンズ）２１とを有する。
【００１５】
このような構成において、ホログラム記録部２０の信号光はホログラム媒体６１の形態（板厚、角度、屈折率等）にかかわらず、光学系の光軸に一致した状態で供給されるが、ホログラム再生部３０で再生時の再生光はホログラム媒体６１の形態（板厚、角度、屈折率等）により、光学系の光軸からずれた状態で取り出されることになり、そのずれの程度によっては後段の受光素子３２における適正な検出が妨げられる場合がある。
そこで本例では、光軸ずれ補正部５０を設けて光軸のずれ量に応じて受光系を移動することにより、適正な検出状態を維持するものである。
【００１６】
次に、ホログラム媒体６１の形態（板厚、角度、屈折率等）による再生光のずれ量について、ホログラム媒体６１の２つの例を用いて説明する。
図３はフォトポリマ材の単層構造を有するホログラム媒体６１０の例を示す断面図である。
図示のように、ホログラム媒体６１０の板厚をｄ、屈折率をｎ、ホログラム媒体６１０の角度（法線と光軸との角度）をθ１  、ホログラム媒体６１０内の屈折光の角度（法線と屈折光との角度）をθ２  、ホログラム媒体６１０内の光路長をｘとした場合、ずれ量δは以下のように求めることができる。
まず、スネルの法則により、
ｓｉｎθ１  ＝ｎｓｉｎθ２        ……（１）
であり、さらに、幾何学的関係から
ｄ／ｘ＝ｃｏｓθ２
ｓｉｎ（θ１  −θ２  ）＝δ／ｘ      ……（２）
となるので、ずれ量は以下の式（３）で与えられる。
【００１７】
【数１】
2005010599.tif 000003
【００１８】
そこでこのずれ量だけ、受光光学系２１と受光素子３２とを光軸と直交方向にずらし、記録時の光軸に対してオフセットを持たせることにより、再生光の光軸を光学系の光軸に一致させる。
図４は以上のような構成において、ホログラム媒体の厚さｄが１ｍｍ、屈折率ｎが１．５の場合の角度に対するずれ量の依存性を示す説明図である。すなわち、角度が大きくなると、ずれ量が大きくなるので、これを補正するような動作を光軸ずれ補正部５０によって行なうことになる。
【００１９】
なお、以上はフォトポリマ材の単層構造のホログラム媒体の例で説明したが、実際には支持構造等の要請から一対の支持用ガラス板の間にフォトポリマ材を挟持した積層構造のホログラム媒体が用いられることが多い。そこで、次は積層構造のホログラム媒体の場合について説明する。
図５は支持用ガラス板６２１、６２２とフォトポリマ材６２３の３層構造を有するホログラム媒体６２０の例を示す断面図である。
図示のように、雰囲気中の屈折率をｎａ  、各ガラス板６２１、６２２の板厚をｄｇ  、屈折率をｎｇ  、ガラス板６２１、６２２の角度（法線と光軸との角度）をθ１  、ガラス板６２１、６２２内の屈折光の角度（法線と屈折光との角度）をθ２  、ガラス板６２１内の光路長をｘ、ホログラム媒体６２３の板厚をｄｐ  、ホログラム媒体６２３の屈折率をｎｐ  、ホログラム媒体６２３内の屈折光の角度（法線と屈折光との角度）をθ３  、入射側のガラス板６２１によるずれ量をδｇ１、ホログラム媒体６２３によるずれ量をδｐ  、出射側のガラス板６２２によるずれ量をδｇ２とする。
【００２０】
まず、スネルの法則により、
ｎａ  ｓｉｎθ１  ＝ｎｇ  ｓｉｎθ２  ＝ｎｐ  ｓｉｎθ３        ……（１１）
であり、さらに、幾何学的関係から
ｄｇ１／ｘ＝ｃｏｓθ２
ｓｉｎ（θ１  −θ２  ）＝δｇ１／ｘ      ……（１２）
となるので、入射側のガラス板６２１によるずれ量δｇ１は以下の式（１３）で与えられる。
【００２１】
【数２】
2005010599.tif 000004
【００２２】
また、これと同様の方法により、ホログラム媒体６２３によるずれ量δｐ  及び出射側のガラス板６２２によるずれ量δｇ２は以下の式（１４）及び式（１５）で与えられる。
【００２３】
【数３】
2005010599.tif 000005
【００２４】
したがって、総ずれ量δは、ｎａ  ＝１として、δ＝δｇ１＋δｐ  ＋δｇ２より、以下の式（１６）に示すような値となる。
【００２５】
【数４】
2005010599.tif 000006
【００２６】
そこでこのずれ量だけ、上述した受光光学系２１と受光素子３２とを光軸と直交方向にずらし、記録時の光軸に対してオフセットを持たせることにより、再生光の光軸を光学系の光軸に一致させる。なお、この式（１６）において、ｎｇ１＝ｎｇ２＝ｎｐ  とし、ｄｐ’＝ｄｇ１＋ｄｇ２＋ｄｐ  とした場合には、上述したガラス板を持たない単層フォトポリマの式（３）に一致することになる。
【００２７】
図６は以上のようなオフセット補正を行なった光学系の構造を示す側面図であり、図７はオフセット補正を行なっていない光学系の構造を示す側面図である。また、図８は図６に示すオフセット補正を行なった場合の受光素子における受光スポットの状態を示す説明図であり、図９は図７に示すオフセット補正を行なっていない場合の受光素子における受光スポットの状態を示す説明図である。
図７に示すように、記録光学系８１０の信号光の光軸８１０Ａに対し、ホログラム媒体８２０からの再生光の光軸８３０Ａがずれているため、記録光学系８１０の光軸と一致した光軸を有する再生光学系８３０では、図９に示すように、各受光スポット８４０Ａ〜８４０Ｅが受光素子の各受光領域の中心位置８５０Ａ〜８５０Ｅからずれた状態で受光されることになる。
これに対し、本実施の形態で説明した方法でオフセットを持たせた場合には、図６に示すように、記録光学系７１０の信号光の光軸７１０Ａに対し、ホログラム媒体７２０からの再生光の光軸７３０Ａがずれているものの、これ対応して再生光学系７３０の光軸がオフセットαを持っているため、図８に示すように、各受光スポット７４０Ａ〜７４０Ｅが受光素子の各受光領域の中心位置７５０Ａ〜７５０Ｅに一致した状態で受光されることになり、正確な光検出、情報再生を行なうことが可能となる。
【００２８】
次に、実際に使用するホログラム媒体による光軸のずれ量を判定して受光系を移動する場合の方法について説明する。
まず、ホログラム媒体の各品種毎に板厚や材質等の規格が明確に定まっており、各製品間の誤差も小さい場合には、その規格に沿って上述のような演算を行ない、その演算結果に基づくずれ量をホログラム媒体の種別毎に登録しておき、実際に装着されたホログラム媒体の種別から受光系の移動量を決定して移動制御を行なうような方法が考えられる。
例えば、ホログラム媒体にその規格を示すコード情報を例えばバーコード等によって付加しておき、これを再生装置側に設けたバーコードリーダによって読み取り、ホログラム媒体の種別を判定する。そして、予め種別毎にテーブル等に登録しておいたずれ量を読み出し、その値でアクチュエータを制御し、受光系の移動を行なう。
なお、ホログラム媒体の種別を再生装置に識別させる手段としては、バーコードとバーコードリーダの組み合わせに限らず、例えば無線機能付き微小メモリチップをホログラム媒体側に付加し、これを再生装置側に設けた無線受信装置によって読み取るような構成が可能である。さらに、ホログラム媒体自体に識別用のパターンとして記録し、これを再生装置で読み取るような構成としてもよい。
また、このような識別情報を自動的に読み取る代わりに、ユーザが操作キーからの手動操作によって媒体に関する情報を入力し、この入力情報によってずれ量を判定して受光系を移動するような構成とすることも可能である。
【００２９】
また、ホログラム媒体の板厚等が製品毎に一定せず、バラツキのために光軸のずれ量が大きくなるような場合には、実際に装着されたホログラム媒体毎にずれ量を測定するような方法が有効である。
その測定方法としては、例えば、予め間隔の決まった２本の平行な測定光ビームを出射する光学系を設けるとともに、ホログラム媒体の一部エリアを測定用エリアとして設定し、２本の測定光ビームの一方をホログラム媒体に通して受光素子に送り、他方をホログラム媒体を避けて受光素子に送り、両者の間隔を測定する。そして、出射部分での間隔と受光部分での間隔の差を求め、これを光軸のずれ量とみなして受光系の移動量を決定する。
なお、この場合の光源や受光素子としては、上述したレーザ光源８１や受光素子３２を流用することが可能である。
【００３０】
以上、本発明の実施の形態例によるホログラム記録再生システムについて説明したが、本発明は記録系と再生系とを含むシステムに限らず、再生専用の装置に適用できるものである。
また、上述した例では、ホログラム記録再生装置内に自動的に光軸のずれ量を判定して自動的に光学系を移動して光軸のずれ量を補正する手段を搭載し、動的に光軸を補正してオフセットを持たせる構成について説明したが、例えば出荷前の検査調整段階で、使用が想定されるホログラム媒体の厚み等を測定して受光系に対する光軸のずれ量を判定し、その判定結果に応じて再生系の光軸を調整機構や治具等を用いて調整し、再生系の光軸にオフセットを有する完成品として出荷するような構成としてもよい。このような構成においても、オフセット補正した光軸によって適正な再生状態を得ることができ、十分な効果を得ることが可能である。
また、ホログラム媒体としてはフォトポリマ材を用いたものに限らず、他の材料を用いたものについても同様に適用できるものである。
【００３１】
【発明の効果】
以上説明したように本発明のホログラム再生装置及びホログラム再生方法によれば、ホログラム媒体から再生される再生光に生じる光軸のずれ量に応じて受光光学系及び受光素子の光軸がオフセットされているので、ホログラム媒体によって生じる再生光のずれに対応して受光系の光軸を一致させることが可能となり、良好な受光状態を確保でき、適正な信号再生を行なうことができる。
なお、受光光学系及び受光素子の光軸のオフセットは、予めホログラム再生装置の製造段階で設けるようにしてもよいし、あるいは光軸を調整する手段をホログラム再生装置内に搭載することにより、実使用時に何らかの手段で再生光のずれ量を判定し、受光光学系及び受光素子の光軸を自動調整するようにしてもよい。
したがって、ホログラム技術を用いたデータ記録再生システムにおける記録密度の向上や信頼性の向上といった高性能化に貢献でき、付加価値の増大を達成できる効果がある。
【図面の簡単な説明】
【図１】本発明の実施の形態例におけるホログラム記録再生システムの全体構成を示すブロック図である。
【図２】図１に示すホログラム記録再生システムにおけるホログラム記録再生部の光学系の構成を示すブロック図である。
【図３】図１に示すホログラム記録再生システムにおける記録媒体としてフォトポリマ材の単層構造を有するホログラム媒体を用いた例を示す断面図である。
【図４】図３に示すホログラム媒体の傾斜角度と光軸の移動量との関係を示す説明図である。
【図５】図１に示すホログラム記録再生システムにおける記録媒体としてガラス基板とフォトポリマ材の３層構造を有するホログラム媒体を用いた例を示す断面図である。
【図６】本発明の実施の形態例によるオフセット補正を行なった光学系の構造を示す側面図である。
【図７】本発明の実施の形態例によるオフセット補正を行なっていない光学系の構造を示す側面図である。
【図８】図６に示すオフセット補正を行なった場合の受光素子における受光スポットの状態を示す説明図である。
【図９】図７に示すオフセット補正を行なっていない場合の受光素子における受光スポットの状態を示す説明図である。
【符号の説明】
１０……記録データ生成部、２０……ホログラム記録部、３０……ホログラム再生部、４０……データ再生部、５０……光軸ずれ補正部、６０……ホログラム媒体駆動部、７０……駆動制御部、８０……光源部。
【図１】
2005010599.tif 000007
【図２】
2005010599.tif 000008
【図３】
2005010599.tif 000009
【図４】
2005010599.tif 000010
【図５】
2005010599.tif 000011
【図６】
2005010599.tif 000012
【図７】
2005010599.tif 000013
【図８】
2005010599.tif 000014
【図９】
2005010599.tif 000015